(57)【要約】【課題】  トリガー式液体噴出器の一部に封緘用カバーを装着し、取付キャップを覆い、第三者による不正な開封を防止するとともに、商品の流通過程や店頭での陳列時に、不正行為が行われたとしても、販売者や消費者に開封されたことが直ぐにわかるようにしたトリガー式液体噴出容器を提供すること。【解決手段】  容器の口筒部に、トリガー式液体噴出器を取付キャップにより装着したトリガー式液体噴出容器において、トリガー式液体噴出器の上方より、取付キャップの外周を覆う封緘用カバーを取付キャップの下端に係合させ、取付キャップを回転操作不能とさせ、取付キャップの開封を防止するようにしたことを特徴とする。【選択図】  図１
2006096392.tif 000002
【特許請求の範囲】
【請求項１】
容器の口筒部に、トリガー式液体噴出器を取付キャップにより装着したトリガー式液体噴出容器において、
トリガー式液体噴出器の上方より、取付キャップの外周を覆う封緘用カバーを取付キャップの下端に係合させ、取付キャップを回転操作不能とさせ、取付キャップの開封を防止するようにしたことを特徴とするトリガー式液体噴出容器。
【請求項２】
封緘用カバーが、頂壁と周壁からなり、周壁の前後に切込み部を設け、少なくとも一方の切込み部の下方に薄肉のヒンジ部を介して封鎖用の帯部材が連設されていることを特徴とする請求項１記載のトリガー式液体噴出容器。
【請求項３】
封鎖用の帯部材の先端部に、嵌合用の突起と、該突起の周辺に切断溝を設けた嵌合部を形成し、封鎖用の帯部材に対向する反対側の周壁に前記突起が嵌挿される嵌合孔が設けられていることを特徴とする請求項２記載のトリガー式液体噴出容器の封緘用カバー。
【請求項４】
封鎖用の帯部材が、取付キャップの全周を覆う長さで形成され、
嵌合孔が周壁のヒンジ部に近い位置に穿設されたことを特徴とする請求項２、３記載のトリガー式液体噴出容器の封緘用カバー。
【請求項５】
封緘用カバーの周壁の前面に装着孔が穿設され、後方に切込み部が設けられ、
後方の切込み部に封鎖用の帯部材を設けたことを特徴とする請求項１記載のトリガー式液体噴出容器の封緘用カバー。
【発明の詳細な説明】
【技術分野】
【０００１】
本発明は、トリガー式液体噴出容器、とくに取付キャップの不正開封を防止する封緘用カバーに関するものである。
【背景技術】
【０００２】
容器の口筒部に、トリガー式液体噴出器を口筒部に螺着する取付キャップにより装着したトリガー式液体噴出容器において、商品の流通過程や店頭での陳列時に、故意または過失による不正行為を防止するため、トリガー式液体噴出容器全体または一部を包装することは、従来より実施されている。
【０００３】
また、トリガー式噴出器を覆い、かつ、ノズルキャップの不用意な開栓操作とトリガー操作を防止するカバーを備えたトリガー式液体噴出容器も、従来より知られている（特許文献１参照）。
【特許文献１】特開２００２−１０２７５５号公報
【発明の開示】
【発明が解決しようとする課題】
【０００４】
しかしながら、上記特許文献記載のトリガー式液体噴出容器のカバーでは、ノズルキャップを保護することを主体とし、上記特許文献記載の実施例のようにカバーの高さが高いと、トリガー式液体噴出器を使用する際に、カバーを外すのが簡単ではなかった。
また、上記特許文献記載の別実施例のようにカバーの高さが低いと、取付キャップを簡単に掴むことができ、悪意の第三者が、容器からトリガー式液体噴出器を外し、不正行為を行い、再びトリガー式液体噴出器を容器に装着させたとしても、販売者や消費者にはわからないという問題もあった。
【０００５】
本発明は、上記問題を解決することを課題として、トリガー式液体噴出器の一部に封緘用カバーを装着し、取付キャップを覆い、第三者による不正な開封を防止するとともに、商品の流通過程や店頭での陳列時に、不正行為が行われたとしても、販売者や消費者に開封されたことが直ぐにわかるようにしたトリガー式液体噴出容器を提供することを目的とする。
【課題を解決するための手段】
【０００６】
本発明は、上記の課題を解決するため、トリガー式液体噴出容器として、容器の口筒部に、トリガー式液体噴出器を取付キャップにより装着したトリガー式液体噴出容器において、トリガー式液体噴出器の上方より、取付キャップの外周を覆う封緘用カバーを取付キャップの下端に係合させ、取付キャップを回転操作不能とさせ、取付キャップの開封を防止するようにしたことを特徴とする構成を採用する。
【０００７】
封緘用カバーとして、封緘用カバーが、頂壁と周壁からなり、周壁の前後に切込み部を設け、少なくとも一方の切込み部の下方に薄肉のヒンジ部を介して封鎖用の帯部材が連設されていることを特徴とする構成を採用する。
【０００８】
封鎖用の帯部材として、封鎖用の帯部材の先端部に、嵌合用の突起と、該突起の周辺に切断溝を設けた嵌合部を形成し、封鎖用の帯部材に対向する反対側の周壁に前記突起が嵌挿される嵌合孔が設けられていることを特徴とする構成、または、封鎖用の帯部材が、取付キャップの全周を覆う長さで形成され、嵌合孔が周壁のヒンジ部に近い位置に穿設されたことを特徴とする構成を採用する。
【０００９】
封緘用カバーの別実施例として、封緘用カバーの周壁の前面に装着孔が穿設され、後方に切込み部が設けられ、後方の切込み部に封鎖用の帯部材を設けたことを特徴とする構成を採用する。
【発明の効果】
【００１０】
トリガー式液体噴出容器に封緘用カバーを装着したので、封緘用カバーを外さないと取付キャップを回転させることができなくなった。
また、封鎖用の帯部材と周壁との係合を解いて、封緘用カバーを外したら帯部材の嵌合部が切断され、再度装着することができなくなるので、販売者や消費者が、第三者による不正な開封を直ちに知ることができるようになった。
【発明を実施するための最良の形態】
【００１１】
次に、本発明のトリガー式液体噴出器の不正開封防止カバーについて、実施例をあげて説明する。
【実施例１】
【００１２】
図１、２において、Ａは容器、Ｂは容器Ａに螺着される取付キャップ、Ｃは容器Ａに取付キャップＢを介して装着されるトリガー式液体噴出器、Ｄはトリガー式液体噴出器Ｃの上方から取付キャップＢに装着される封緘用カバーである。
【００１３】
図１、２に示すように、容器Ａは、外周にねじを螺設した口筒部１を具えている。
トリガー式液体噴出器Ｃは、噴出器基体Ｃ１と、該噴出器基体Ｃ１の先端に取着されるノズル部材Ｃ２とからなる従来周知の構造を有しており、トリガー式液体噴出器Ｃは、容器Ａの口筒部１に、外周に滑り止めのローレットを設けた取付キャップＢを介して装着されている。
取付キャップＢの下端と容器Ａの肩部上段との間には、トリガー式液体噴出器Ｃを、容器Ａの口筒部１に取着した際に、間隙ｄができようになっている。
【００１４】
噴出器基体Ｃ１のカバー体２の内部には、ピストン部材を具えたポンプ部３、吐出管（図示しない）とを内蔵しており、吐出管には、ノズル部材Ｃ２が嵌着されている。
また、カバー体２内には、トリガー４が廻動自在に取着されており、ポンプ部３のピストン部材は、トリガー４によって作動されるようになっている。
カバー体２は、上壁５と側壁６とを有している。
【００１５】
ノズル部材Ｃ２は、カバー体２内の吐出管に廻動自在に取着され、吐出管に連通可能とした流路（図示しない）を有する噴霧ノズル７を具えており、断面ほぼ三角形状の外周壁８を有している。
内容液の使用時には、外周壁８を把持し、ノズル部材Ｃ２を廻動させることによって、噴出器基体Ｃ１内の吐出管と、ノズル部材Ｃ２内の流路を接続、または遮断し、不用意な噴出を防ぐようになっている。
【００１６】
封緘用カバーＤは、図２、３に示すように、頂壁１０と該頂壁１０の周縁から垂設された筒状の周壁１１とからなっている。
周壁１１の側周の前後側は、切込み部１２ａ、１２ｂにより下端まで切開かれ、トリガー式液体噴出器Ｃの一部に、噴出器基体Ｃ１のカバー体２の上方より封緘用カバーＤを装着できるようになっている。
周壁１１の側壁１１ａ、１１ｂの内周下端部には、容器Ａの口筒部１に螺着した取付キャップＢと容器Ａの肩部上段との間の間隙ｄに入り込み、取付キャップＢの下端と係合する係合突条１３が設けられている。
【００１７】
周壁１１の後側の切込み部１２ｂの側壁１１ｂ側面下方には、トリガー式液体噴出器Ｃに封緘用カバーＤを装着した際に、取付キャップＢのローレット面を覆い、切込み部１２ｂの下方を封鎖するように先端につまみ部１５を形成した封鎖用の帯部材１６が、ヒンジ部１７を介して連設されている。
周壁１１の側壁１１ａの切込み部１２ｂ側下方には嵌合孔１８が設けられている。
【００１８】
帯部材１６の所定の位置には、裏面に側壁１１ａに設けられた嵌合孔１８に嵌合する嵌合突起１９が設けられた嵌合部２０を形成しており、嵌合部２０の周囲には、一定形状の切断溝２１が設けられている。
帯部材１６のつまみ部１５を引張ると切断溝２１が切断され、嵌合部２０が帯部材１６から切り取られるようになっている。
【００１９】
次に、本実施例の作用効果について説明する。
容器Ａの口筒部１にトリガー式液体噴出器Ｃを取付キャップＢにより螺着し、トリガー式液体噴出器Ｃに封緘用カバーＤを装着し、封緘用カバーＤの帯部材１６の嵌合部２０の裏面の嵌合突起１９を、周壁１１の側壁１１ａに設けた嵌合孔１８に嵌入させることにより、図１に示すように、封緘用カバーＤの周壁１１と帯部材１６とでトリガー式液体噴出器Ｃの取付キャップＢの外周を覆うようになっている。
【００２０】
取付キャップＢの外周を封緘用カバーＤで覆うことで、取付キャップＢの外周を手指などで掴んで回転させることができないので、容器Ａとトリガー式液体噴出器Ｃの螺合を外すことができない。
また、封緘用カバーＤの周壁１１の切込み部１２ａは、取付キャップＢの外周を覆われていないが、トリガー式液体噴出器Ｃのトリガー４があるため手指などで掴みにくくなっている。
取付キャップＢを回転させるためには、封緘用カバーＤを外さなくてはならず、その際には、封緘用カバーＤの帯部材１６と側壁１１ａの係合を外さなくてはならない。
【００２１】
封緘用カバーＤの帯部材１６の嵌合部２０は、側壁１１ａの嵌合孔１８と帯部材１６の嵌合突起１９とを一度嵌合させた後、嵌合を外す場合には、帯部材１６のつまみ部１５をつまんで外方に引張ると、図４に示すように、嵌合力が切断溝２１の切断耐性力より強いので、切断溝２１が切断され、嵌合部２０だけが帯部材１６から切断され、嵌合孔１８と嵌合したままで側壁１１ａに残った状態になる。
したがって、封緘用カバーＤの帯部材１６と側壁１１ａの嵌合を一度外すと再度嵌合させることができないし、また、嵌合部２０が切断されていることを容易に視認することができる。
【００２２】
封緘用カバーＤを付けたまま、トリガー式液体噴出器Ｃの噴出器基体Ｃ１を手指などで掴み回転させても、封緘用カバーＤは取付キャップＢの下端に係合しているだけで、封緘用カバーＤの内周と取付キャップＢの外周は嵌合していないので、封緘用カバーＤを回転させても取付キャップＢは回転しないし、噴出器基体Ｃ１は、取付キャップＢの頂壁上で回転するだけで、取付キャップＢは回転しない。
【００２３】
したがって、本実施例では、取付キャップＢの外周を封緘用カバーＤで覆うことにより、取付キャップＢを回して、容器Ａからトリガー式液体噴出器Ｃを外すことができないようにしたので、流通時や店頭などでの不正行為を防止することができる。
【実施例２】
【００２４】
次に、実施例１において封緘用カバーの後側に連設された帯部材を前後両側に設け、取付キャップの全周を覆うようにした第２実施例について説明する。
実施例１と同様の構成部分は、同一の符号をもって図示し、以下相違点を中心に説明する。
【００２５】
図５に示すように、本実施例の封緘用カバーＤａは、実施例１同様に、頂壁１０と該頂壁１０の周縁から垂設された筒状の周壁１１とからなっており、周壁１１の前側の切込み部１２ａの側壁１１ａ側面と、後側の切込み部１２ｂの側壁１１ｂ側面の下方には、実施例１同様の嵌合部２０を形成した二つの帯部材１６ａ、１６ｂが、それぞれヒンジ部１７を介して連設されている。
周壁１１の側壁１１ｂの切込み部１２ａ側と、側壁１１ａの切込み部１２ｂ側の下方には、嵌合孔１８が設けられ、それぞれの帯部材１６ａ、１６ｂの嵌合部２０と嵌合されるようになっている。
【００２６】
次に、本実施例の作用効果について説明する。
実施例１では、封緘用カバーＤの後側だけにトリガー式液体噴出器Ｃの取付キャップＢを覆う帯部材１６を取着したが、本実施例では、封緘用カバーＤａの前後側両方に帯部材１６ａ、１６ｂを設けているため、図５（ｂ）に示すように、封緘用カバーＤａの周壁１１と前後の帯部材１６ａ、１６ｂで取付キャップＢの全周を覆うことができるようになり、帯部材１６ａ、１６ｂの嵌合部２０と周壁１１の嵌合孔１８との嵌合を外さなければ取付キャップＢを回転させることはできない。
したがって、トリガー式液体噴出容器の流通時や店頭などでの不正行為の防止は、より一層効果的になる。
【実施例３】
【００２７】
次に、実施例１において封緘用カバーに連設された帯部材の構成を変更し、帯部材で取付キャップの全周を覆うようにした第３実施例について説明する。
実施例１と同様の構成部分は、同一の符号をもって図示し、以下相違点を中心に説明する。
【００２８】
図６（ａ）に示すように、本実施例の封緘用カバーＤｂは、実施例１同様に頂壁１０と該頂壁１０の周縁から垂設された筒状の周壁１１とからなっており、周壁１１の後側の切込み部１２ｂの側壁１１ｂ側面下方には、実施例１同様の嵌合部２０を形成した帯部材２５がヒンジ部１７を介して連設され、周壁１１の側壁１１ｂの切込み部１２ｂ側下方には嵌合孔１８が設けられている。
帯部材２５は、図６（ｂ）に示すように、切込み部１２ａ、１２ｂの下方を覆い、周壁１１の全周を覆うように、嵌合部２０が側壁１１ｂに設けた嵌合孔１８と嵌合するように形成されている。
【００２９】
次に、本実施例の作用効果について説明する。
実施例１では、封緘用カバーＤにトリガー式液体噴出器Ｃの取付キャップＢの後方を覆う帯部材１６を取着したが、本実施例では、封緘用カバーＤｂに周壁１１に設けた切込み部１２を覆う帯部材２５を設け、取付キャップＢの全周を覆っているため、帯部材２５の嵌合部２０と周壁１１の嵌合孔１８との嵌合を外さなければ取付キャップＢを回転させることができない。
【００３０】
本実施例では、封緘用カバーＤｂのトリガー式液体噴出器Ｃのノズル部材Ｃ２側の逆側を後側として帯部材２５と嵌合孔１８を設けたが、逆に封緘用カバーＤｂのノズル部材Ｃ２側に帯部材２５と嵌合孔１８を設けてもよい。
【００３１】
また、本実施例では、封緘用カバーＤｂの側壁１１ｂの切込み部１２ｂ側下方に嵌合孔１８を設けたが、帯部材２５が、周壁１１に設けられた両方の切込み部１２ａ、１２ｂを覆うようにできればよいので、側壁１１ｂの下方であれば嵌合孔１８をどの場所に設けてもよい。
【実施例４】
【００３２】
次に、実施例１の封緘用カバーの形状を変え、取付キャップの全周を覆うようにした第４実施例について説明する。
実施例１と同様の構成部分は、同一の符号をもって図示し、以下相違点を中心に説明する。
【００３３】
図７に示すように、本実施例の封緘用カバーＤｃは、頂壁１０と該頂壁１０の周縁から垂設された筒状の周壁３０とからなっている。
周壁３０には、前側には装着孔３１が設けられ、後側には切込み部３２により下端まで切り開かれ、図８に示すように、トリガー式液体噴出器Ｃの一部に、上方より封緘用カバーＤｃを装着できるようになっており、周壁３０の内周下端部には、取付キャップＢと容器Ａの肩部上段との間の間隙ｄに入り込み、取付キャップＢの下端と係合する係合突条３３が設けられている。
【００３４】
周壁３０の切込み部３２側には、実施例１同様に、嵌合部２０が設けられた帯部材１６と嵌合孔１８が設けられ、嵌合するようになっている。
【００３５】
次に、本実施例の作用効果について説明する。
本実施例は、トリガー式液体噴出器Ｃの一部に、上方より封緘用カバーＤｃを装着した後に、実施例１と同様に、封緘用カバーＤｃの後側に設けた帯部材１６を周壁３０に嵌合させるだけで取付キャップＢの全周を覆うことができ、帯部材１６の嵌合部２０と周壁３０の嵌合孔１８との嵌合を外さなければ、取付キャップＢを回転させることはできない。
【００３６】
本実施例では、封緘用カバーＤｃのトリガー式液体噴出器Ｃのノズル部材Ｃ２側を、前側として装着孔３１を設けたが、封緘用カバーＤｃを装着することにより、取付キャップＢの全周を覆うことができればよいので、逆に封緘用カバーＤｃの後側に装着孔３１を設けて、前側を切込み部３２として帯部材１６を設けてもよい。
【００３７】
上記各実施例とも、封緘用カバーの周壁に設けた嵌合孔と、帯部材の切断溝を設けた嵌合部に設けた嵌合突起とを嵌合して嵌着したが、それとは反対に、周壁に嵌合突起を設け、嵌合部に嵌合孔を設けてもよい。
【００３８】
前記各実施例では、封緘用カバーの周壁に設けた嵌合孔に、帯部材の嵌合部に設けた嵌合突起を嵌合させて、切込み部を帯部材で封鎖するようにしたが、嵌合突起と嵌合孔を設けないで、嵌合部を接合面とし、接合面の周囲に切断溝を配設した接合部を形成させる。  周壁面への接合にあたって、接着剤による接合、超音波溶着、誘電加熱或いは誘導加熱による高周波溶着など種々の公知の接合方法を採用することができる。
【００３９】
帯部材の封鎖を解くときには、帯部材のつまみ部を引張り周壁から離すようにすると、切断溝が切断され、接合部は、帯部材から離れて周壁側に残される。
したがって、前記第１、第２例と同様の作用効果を得ることができる。
【産業上の利用可能性】
【００４０】
トリガー式液体噴出容器のトリガー式液体噴出器に、外すとその痕跡の残る封緘用カバーを取着したことによって、流通時や店頭などで、第三者による不正な開封を防止することができるようになり、消費者が安心して購入できるトリガー式液体噴出容器を提供できる。
【図面の簡単な説明】
【００４１】
【図１】本発明の第１実施例のトリガー式液体噴出容器の封緘用カバー装着時の斜視図である。
【図２】第１実施例の説明図で、（ａ）は封緘用カバー、（ｂ）はトリガー式液体噴出器の斜視図である。
【図３】封緘用カバーの装着前の背面斜視図である。
【図４】封緘用カバーの開封後の背面斜視図である。
【図５】第２実施例の説明図で、（ａ）は封緘用カバー、（ｂ）は封緘用カバー装着時の斜視図である。
【図６】第３実施例の説明図で、（ａ）は封緘用カバー、（ｂ）は封緘用カバー装着時の斜視図である。
【図７】第４実施例の説明図で、（ａ）は封緘用カバーの斜視図、（ｂ）は背面斜視図である。
【図８】トリガー式液体噴出容器の封緘用カバー装着時の斜視図である。
【符号の説明】
【００４２】
Ａ            容器
Ｂ            取付キャップ
Ｃ            トリガー式液体噴出器
Ｃ１          噴出器基体
Ｃ２          ノズル部材
Ｄ、Ｄａ、Ｄｂ、Ｄｃ  封緘用カバー
ｄ            間隙
１            口筒部
２            カバー体
３            ポンプ部
４            トリガー
５            上壁
６            側壁
７            噴霧ノズル
８            外周壁
１０          頂壁
１１、３０    周壁
１１ａ、１１ｂ  側壁    
１２ａ、１２ｂ、３２  切込み部  
１３、３３    係合突条
１５          つまみ部
１６、１６ａ、１６ｂ、２５  帯部材
１７          ヒンジ部
１８          嵌合孔
１９          嵌合突起
２０          嵌合部
２１          切断溝
３１          装着孔
【図１】
2006096392.tif 000003
【図２】
2006096392.tif 000004
【図３】
2006096392.tif 000005
【図４】
2006096392.tif 000006
【図５】
2006096392.tif 000007
【図６】
2006096392.tif 000008
【図７】
2006096392.tif 000009
【図８】
2006096392.tif 000010